(57)【要約】【課題】電力負荷のピークカットを実現するための電力貯蔵設備のコストを低減させる、電力管理システム、電力管理装置、電力管理方法、および電力管理プログラムを提供することである。【解決手段】実施形態の電力管理システムは、電力管理装置と充放電端末装置とを含む。電力管理装置において、電子機器情報受信部は、電子機器が送信する第１の蓄電池の残容量値と電子機器の位置を表す位置情報とを含む電子機器情報を受信する。第１の制御部は、電力需要予測値に基づく所定の時間帯において、電子機器情報のうち、第１の閾値を越える残容量値と所定の領域内の位置を示す位置情報とをともに含む電子機器情報に対応する電子機器に、第１のメッセージを送信する。また、充放電端末装置において、充電制御部は、第１のメッセージを受信した電子機器が電力伝送可能に設けられた場合に、電子機器が伝送する電力を第２の蓄電池に蓄電させる。【選択図】図２
2015115983.tif 000002
【特許請求の範囲】
【請求項１】
電力管理装置と充放電端末装置とを含む電力管理システムであって、
前記電力管理装置は、
第１の蓄電池を備えて外部に放電可能な電子機器が送信する、前記第１の蓄電池の残容量値と前記電子機器の位置を表す位置情報とを含む電子機器情報を受信する電子機器情報受信部と、
前記電子機器情報受信部が受信した電子機器情報を、電子機器ごとに記憶する電子機器情報記憶部と、
電力需要予測装置から、所定期間における電力需要予測値を取り込む電力需要予測値取得部と、
前記電力需要予測値に基づく所定の時間帯において、前記電子機器情報記憶部に記憶された電子機器情報のうち、第１の閾値を越える残容量値と所定の領域内の位置を示す位置情報とをともに含む電子機器情報に対応する電子機器に、放電を促す内容を有する第１のメッセージを送信する第１の制御部と、
を備え、
前記充放電端末装置は、
第２の蓄電池と、
前記第１のメッセージを受信した電子機器が電力伝送可能に設けられた場合に、前記電子機器が伝送する電力を前記第２の蓄電池に蓄電させる充電制御部と、
を備える、
電力管理システム。
【請求項２】
前記電力管理装置は、
前記時間帯において、前記電子機器情報記憶部に記憶された電子機器情報のうち、第２の閾値以下である残容量値と前記領域内の位置を示す位置情報とをともに含む電子機器情報に対応する電子機器に、充電を促す内容を有する第２のメッセージを送信する第２の制御部、
をさらに備え、
前記充放電端末装置は、
前記第２のメッセージを受信した電子機器が電力伝送可能に設けられた場合に、前記第２の蓄電池から前記電子機器が備える第１の蓄電池に電力を伝送させる放電制御部、
をさらに備える請求項１記載の電力管理システム。
【請求項３】
前記電子機器情報受信部は、前記電子機器が一定時間おきに送信する電子機器情報を順次受信し、
前記電子機器情報記憶部は、前記電子機器情報受信部が受信した電子機器情報を、電子機器ごとに順次記憶する、
請求項１または請求項２いずれか記載の電力管理システム。
【請求項４】
第１の蓄電池を備えて外部に放電可能な電子機器が送信する、前記第１の蓄電池の残容量値と前記電子機器の位置を表す位置情報とを含む電子機器情報を受信する電子機器情報受信部と、
前記電子機器情報受信部が受信した電子機器情報を、電子機器ごとに記憶する電子機器情報記憶部と、
電力需要予測装置から、所定期間における電力需要予測値を取り込む電力需要予測値取得部と、
前記電力需要予測値に基づく所定の時間帯において、前記電子機器情報記憶部に記憶された電子機器情報のうち、第１の閾値を越える残容量値と所定の領域内の位置を示す位置情報とをともに含む電子機器情報に対応する電子機器に、放電を促す内容を有する第１のメッセージを送信する第１の制御部と、
を備える電力管理装置。
【請求項５】
電子機器情報受信部が、第１の蓄電池を備えて外部に放電可能な電子機器が送信する、前記第１の蓄電池の残容量値と前記電子機器の位置を表す位置情報とを含む電子機器情報を受信する電子機器情報受信ステップと、
電子機器情報記憶部が、前記電子機器情報受信部が受信した電子機器情報を、電子機器ごとに記憶する電子機器情報記憶ステップと、
電力需要予測値取得部が、電力需要予測装置から、所定期間における電力需要予測値を取り込む電力需要予測値取得ステップと、
第１の制御部が、前記電力需要予測値に基づく所定の時間帯において、前記電子機器情報記憶部に記憶された電子機器情報のうち、第１の閾値を越える残容量値と所定の領域内の位置を示す位置情報とをともに含む電子機器情報に対応する電子機器に、放電を促す内容を有する第１のメッセージを送信する第１の制御ステップと、
を有する電力管理方法。
【請求項６】
コンピュータを、
第１の蓄電池を備えて外部に放電可能な電子機器が送信する、前記第１の蓄電池の残容量値と前記電子機器の位置を表す位置情報とを含む電子機器情報を受信する電子機器情報受信手段、
前記電子機器情報受信手段が受信した電子機器情報を、電子機器ごとに記憶する電子機器情報記憶手段、
電力需要予測装置から、所定期間における電力需要予測値を取り込む電力需要予測値取得手段、
前記電力需要予測値に基づく所定の時間帯において、前記電子機器情報記憶手段に記憶された電子機器情報のうち、第１の閾値を越える残容量値と所定の領域内の位置を示す位置情報とをともに含む電子機器情報に対応する電子機器に、放電を促す内容を有する第１のメッセージを送信する第１の制御手段、
として機能させるための電力管理プログラム。
【発明の詳細な説明】
【技術分野】
【０００１】
本発明の実施形態は、電力管理システム、電力管理装置、電力管理方法、および電力管理プログラムに関する。
【背景技術】
【０００２】
電力貯蔵装置、定置用蓄電池システム等を用いて、電力負荷のピークカットを行う技術が知られている（例えば、特許文献１および特許文献２を参照）。
【先行技術文献】
【特許文献】
【０００３】
【特許文献１】特開２００２−２７１９９４号公報
【特許文献２】特開２０１２−２０５４９０号公報
【発明の概要】
【発明が解決しようとする課題】
【０００４】
しかしながら、電力負荷のピークカットを実現するための電力貯蔵設備の導入には、高額の初期コストがかかる。また、ピークカットを実施する領域が広くなるほど、電力貯蔵設備が大型化する傾向にある。
本発明が解決しようとする課題は、電力負荷のピークカットを実現するための電力貯蔵設備のコストを低減させる、電力管理システム、電力管理装置、電力管理方法、および電力管理プログラムを提供することである。
【課題を解決するための手段】
【０００５】
実施形態の電力管理システムは、電力管理装置と充放電端末装置とを含む。電力管理装置は、電子機器情報受信部と、電子機器情報記憶部と、電力需要予測値取得部と、第１の制御部とを備える。電子機器情報受信部は、第１の蓄電池を備えて外部に放電可能な電子機器が送信する、前記第１の蓄電池の残容量値と前記電子機器の位置を表す位置情報とを含む電子機器情報を受信する。電子機器情報記憶部は、前記電子機器情報受信部が受信した電子機器情報を、電子機器ごとに記憶する。電力需要予測値取得部は、電力需要予測装置から、所定期間における電力需要予測値を取り込む。第１の制御部は、前記電力需要予測値に基づく所定の時間帯において、前記電子機器情報記憶部に記憶された電子機器情報のうち、第１の閾値を越える残容量値と所定の領域内の位置を示す位置情報とをともに含む電子機器情報に対応する電子機器に、放電を促す内容を有する第１のメッセージを送信する。また、充放電端末装置は、第２の蓄電池と、充電制御部とを備える。充電制御部は、前記第１のメッセージを受信した電子機器が電力伝送可能に設けられた場合に、前記電子機器が伝送する電力を前記第２の蓄電池に蓄電させる。
【図面の簡単な説明】
【０００６】
【図１】第１実施形態の電力管理システムを適用した電力需給システムの全体構成を示す図である。
【図２】第１実施形態の電力管理システムを適用した電力需給システムの機能構成を示すブロック図である。
【図３】電子機器情報記憶部が記憶する電子機器情報のデータ構成の例である。
【図４】電力需要予測装置が電力管理装置に供給する電力需要予測値をグラフとして表した図である。
【図５】電力管理装置の処理手順を示すフローチャートである。
【図６】第２実施形態の電力管理システムにおける電力管理装置の機能構成を示すブロック図である。
【図７】スケジュール情報記憶部が記憶するスケジュール情報のデータ構成の例である。
【図８】第２実施形態の電力管理システムを適用した電力需給システムの具体的動作を説明するための図である。
【発明を実施するための形態】
【０００７】
以下、実施形態について、図面を参照して詳細に説明する。
［第１の実施形態］
図１は、第１実施形態の電力管理システムを適用した電力需給システムの全体構成を示す図である。同図に示すように、電力需給システムは、電力需要予測装置１０と、電力管理装置２０と、充放電端末装置３０と、ネットワーク４０と、電子機器５０−１と、電子機器５０−２とを含む。同図における電力需給システムは、変電所１が電力を送電する領域Ｓ（電力供給領域）内に存在する充放電端末装置３０と、電子機器５０−１と、電子機器５０−２とを含む。この電力需給システムのうち、電力管理装置２０および充放電端末装置３０が、電力管理システムに含まれる。また、変電所１には、大規模蓄電池２が接続されている。
【０００８】
以下の説明において、電子機器５０−１と電子機器５０−２とを区別しないで述べる場合は、電子機器５０と記載する場合がある。
また、説明の便宜上、図１には、２台の電子機器５０を示したが、実際には、複数の電子機器５０が用いられる。また、充放電端末装置３０の台数も、１台に限られず、複数であってよい。
【０００９】
電力需要予測装置１０と、電力管理装置２０と、充放電端末装置３０と、電子機器５０−１と、電子機器５０−２とは、ネットワーク４０を介して接続される。ネットワーク４０は、例えば、インターネットプロトコル（Ｉｎｔｅｒｎｅｔ  Ｐｒｏｔｏｃｏｌ；ＩＰ）によって通信可能なコンピュータネットワークである。なお、ネットワーク４０は、ローカルエリアネットワーク（Ｌｏｃａｌ  Ａｒｅａ  Ｎｅｔｗｏｒｋ；ＬＡＮ）、携帯電話網も含んでいる。また、ネットワーク４０は、インターネットに接続されていてもよい。
【００１０】
電力需要予測装置１０は、例えば、領域Ｓにおける、所定の期間（時間）における電力需要量を予測する装置である。コンピュータ装置による電力需要予測方法として、公知の方法を適用することができる。例えば、電力需要予測装置１０は、電力需要予測プログラムをインストールしたコンピュータ装置により実現される。第１実施形態において、電力需要予測装置１０は、例えば、毎日午前０時に、変電所１が送電する領域Ｓにおける２４時間分の電力需要予測値を電力管理装置２０に供給する。
【００１１】
電子機器５０は、第１の蓄電池を備えるとともに、この第１の蓄電池から外部に放電、および外部から第１の蓄電池に充電可能な充放電インターフェースを備え、さらに、電力管理装置２０と通信可能な装置である。電子機器５０は、一定時間おき（例えば、１０分おき）に、第１の蓄電池の残容量値と、当該電子機器５０の位置を表す位置情報とを含む電子機器情報を、電力管理装置２０に送信する。
【００１２】
電子機器５０は、例えば、タブレット、スマートフォン、デジタルカメラ、ビデオカメラ、ゲーム機、携帯電話機、ノートＰＣ（パーソナルコンピュータ）等の携帯電子機器により実現される。
【００１３】
充放電端末装置３０は、第２の蓄電池を備え、電子機器５０が電力伝送可能に設けられた場合に、当該電子機器５０と第２の蓄電池との間で電力を伝送する充放電ターミナルである。充放電端末装置３０は、領域Ｓ内に設置される。例えば、充放電端末装置３０は、大規模ビルディングのロビーフロアに設置されたり、スーパーマーケット等の店舗内に設置されたり、交差点付近や道路脇に設置されたりする。
【００１４】
電力管理装置２０は、電子機器５０が一定時間おきに送信する電子機器情報を順次受信し、この電子機器情報を、電子機器ごとに記憶する。また、電力管理装置２０は、電力需要予測装置１０から、電力需要予測値を取り込む。電力管理装置２０は、取り込んだ電力需要予測値に基づく所定の時間帯（例えば、電力ピーク時間帯）において、残容量に余裕があり、且つ領域Ｓ内に存在する電子機器５０に、放電を促す内容を有する第１のメッセージを送信する。また、電力管理装置２０は、前記の時間帯において、残容量に余裕がなく、且つ領域Ｓ内に存在する電子機器５０に、充電を促す内容を有する第２のメッセージを送信する。
【００１５】
図２は、第１実施形態の電力管理システムを適用した電力需給システムの機能構成を示すブロック図である。同図において、図１と同一の構成については同一の符号を付す。
【００１６】
図２において、電子機器５０−１は、第１の蓄電池５１−１を備える。また、電子機器５０−２は、第１の蓄電池５１−２を備える。以下の説明において、第１の蓄電池５１−１と第１の蓄電池５１−２とを区別しないで述べる場合は、第１の蓄電池５１と記載する場合がある。電子機器５０は、第１の蓄電池５１から外部に放電させたり、外部から第１の蓄電池に充電させたりするための、充放電インターフェースを備える。充放電インターフェースは、有線によるものでも無線によるものでもよい。充放電インターフェースが無線によるものである場合、例えば、公知の非接触電力伝送方式を適用することができる。
【００１７】
また、電子機器５０は、中央処理装置（Ｃｅｎｔｒａｌ  Ｐｒｏｃｅｓｓｉｎｇ  Ｕｎｉｔ；ＣＰＵ）と、記憶部（例えば、フラッシュＲＯＭ）と、メモリとを備え、常駐プログラムである電池監視プログラムをその記憶部に記憶させている。電子機器５０のＣＰＵは、電源投入によるシステム起動後に、記憶部から電池監視プログラムを読み出して実行し、メモリに常駐させる。また、電子機器５０は、当該電子機器５０の位置を表す位置情報を取得するための位置情報取得部を備える。この位置情報取得部は、例えば、ＧＰＳ（Ｇｌｏｂａｌ  Ｐｏｓｉｔｉｏｎｉｎｇ  Ｓｙｓｔｅｍ）受信機により実現される。
【００１８】
電池監視プログラムを実行している電子機器５０は、一定時間おき（例えば、１０分おき）に、第１の蓄電池５１の残容量値と位置情報取得部が取得した位置情報とを含む電子機器情報を生成し、この電子機器情報を電力管理装置２０に送信する。
また、電子機器５０は、電力管理装置２０が送信する前記の第１のメッセージまたは前記の第２のメッセージを受信し、具備する表示部にそのメッセージを表示させる。
【００１９】
図２に示すように、充放電端末装置３０は、第２の蓄電池３１と、充電制御部３２と、放電制御部３３とを備える。
充電制御部３２は、例えば、第１のメッセージを受信した電子機器５０−１が電力伝送可能に設けられた場合に、電子機器５０−１が伝送する電力を第２の蓄電池３１に蓄電させる。
放電制御部３３は、例えば、第２のメッセージを受信した電子機器５０−２が電力伝送可能に設けられた場合に、第２の蓄電池３１から電子機器５０−２が備える第１の蓄電池５１−２に電力を伝送させる。
なお、第２の蓄電池３１の代わりに、図１に示した大規模蓄電池２を用いてもよい。
【００２０】
図２に示すように、電力管理装置２０は、電子機器情報受信部２１と、電子機器情報記憶部２２と、電力需要予測値取得部２３と、制御部２４とを備える。
【００２１】
電子機器情報受信部２１は、電子機器５０が一定時間おきに送信する電子機器情報を受信し、この電子機器情報を電子機器情報記憶部２２に順次記憶させる。
電子機器情報記憶部２２は、電子機器５０ごとに、電子機器情報を記憶する。
電力需要予測値取得部２３は、電力需要予測装置１０が供給する所定期間（例えば、１日）における電力需要予測値を取り込み、この電力需要予測値を制御部２４に供給する。
【００２２】
図２に示すように、制御部２４は、第１の制御部２４１と、第２の制御部２４２とを備える。
第１の制御部２４１は、電力需要予測値取得部２３が供給する電力需要予測値に基づく所定の時間帯において、電子機器情報記憶部２２に記憶された電子機器情報のうち、第１の閾値（例えば、６０％）を越える残容量値と所定の領域内（例えば、図１の領域Ｓ内）の位置を示す位置情報とをともに含む電子機器情報に対応する電子機器５０に、放電を促す内容を有する第１のメッセージを送信する。所定の時間帯とは、例えば、電力需要予測値が所定の閾値を越える時間帯（電力ピーク時間帯）である。
【００２３】
第２の制御部２４２は、電力需要予測値取得部２３が供給する電力需要予測値に基づく所定の時間帯において、電子機器情報記憶部２２に記憶された電子機器情報のうち、第２の閾値（例えば、２０％）以下である残容量値と前記の領域内の位置を示す位置情報とをともに含む電子機器情報に対応する電子機器５０に、充電を促す内容を有する第２のメッセージを送信する。
なお、第１の閾値は第２の閾値以上の値である。
【００２４】
図３は、電子機器情報記憶部２２が記憶する電子機器情報のデータ構成の例である。同図に示すように、電子機器情報テーブルは、電子機器５０ごとの電子機器情報を格納している。電子機器情報は、電子機器５０を識別する識別情報と、第１の蓄電池５１の残容量を表す残容量値と、電子機器５０の位置を表す位置情報（例えば、緯度および経度を表す測位情報）とを関係付けて含む。同図の電子機器情報テーブルには、識別情報“KLZ028AAA”と、残容量値“4500”（単位は、mAh）と、位置情報“XXXYYYZZZ”とを含む電子機器情報が含まれている。
【００２５】
図４は、電力需要予測装置１０が電力管理装置２０に供給する電力需要予測値をグラフとして表した図である。同図において、横軸は時間経過を示し、縦軸は電力需要量予測値を示す。同図のグラフにおいて、電力需要予測値が閾値を越える時間帯Ｔ１および時間帯Ｔ２が、電力ピーク時間帯である。
【００２６】
次に、第１実施形態の電力管理システムを適用した電力需給システムの動作を説明する。
常駐プログラムである電池監視プログラムを実行している電子機器５０は、一定時間おき（例えば、１０分おき）に、第１の蓄電池５１の残容量値と位置情報取得部が取得した位置情報とを含む電子機器情報を生成し、この電子機器情報を電力管理装置２０に送信する。
一方、電力管理装置２０の電子機器情報受信部２１は電子機器５０が送信する電子機器情報を受信すると、この電子機器情報を電子機器情報記憶部２２に記憶させる。すなわち、電力管理装置２０は、電子機器５０についての位置情報と当該電子機器５０が備える第１の蓄電池５１の残容量値とを、電子機器５０ごとに管理している。
【００２７】
次に、電力管理装置２０の動作について説明する。
図５は、電力管理装置２０の処理手順を示すフローチャートである。
ステップＳ１において、電力需要予測値取得部２３は、電力需要予測装置１０が供給する所定期間（例えば、１日）における電力需要予測値を取り込み、この電力需要予測値を制御部２４に供給する。
次に、ステップＳ２において、制御部２４は、電力需要予測値に基づいて電力ピーク時間帯になったことを検出した場合に、ステップＳ３の処理に移す。
【００２８】
ステップＳ３において、第１の制御部２４１は、電子機器情報記憶部２２に記憶された電子機器情報のうち、第１の閾値（例えば、６０％）を越える残容量値と所定の領域内（例えば、図１の領域Ｓ内）の位置を示す位置情報とをともに含む電子機器情報に対応する電子機器５０（ここでは、電子機器５０−１とする。）を選定する。
次に、ステップＳ４において、第１の制御部２４１は、選定した電子機器５０−１に、放電を促す内容を有する第１のメッセージを送信する。
次に、ステップＳ５において、第２の制御部２４２は、電子機器情報記憶部２２に記憶された電子機器情報のうち、第２の閾値（例えば、２０％）以下である残容量値と前記の領域内の位置を示す位置情報とをともに含む電子機器情報に対応する電子機器５０（ここでは、電子機器５０−２とする。）を選定する。
次に、ステップＳ６において、第２の制御部２４２は、選定した電子機器５０−２に、充電を促す内容を有する第２のメッセージを送信する。
【００２９】
第１のメッセージを受信した電子機器５０−１が電力伝送可能に設けられた場合に、充放電端末装置３０の充電制御部３２は、電子機器５０−１が伝送する電力を第２の蓄電池３１に蓄電させる。
また、第２のメッセージを受信した電子機器５０−２が電力伝送可能に設けられた場合に、第２の蓄電池３１から電子機器５０−２が備える第１の蓄電池５１−２に電力を伝送させる。
【００３０】
以上、詳述したように、第１実施形態の電力管理システムは、電力管理装置２０と充放電端末装置３０とを含む。
そして、電力管理装置２０は、第１の蓄電池５１を備えて外部に放電可能な電子機器５０が送信する、第１の蓄電池５１の残容量値と当該電子機器５０の位置を表す位置情報とを含む電子機器情報を受信する電子機器情報受信部２１を備える。また、電力管理装置２０は、電子機器情報受信部２１が受信した電子機器情報を、電子機器ごとに記憶する電子機器情報記憶部２２を備える。また、電力管理装置２０は、電力需要予測装置１０から、所定期間における電力需要予測値を取り込む電力需要予測値取得部２３を備える。また、電力管理装置２０は、電力需要予測値に基づく所定の時間帯において、電子機器情報記憶部２２に記憶された電子機器情報のうち、第１の閾値を越える残容量値と所定の領域内の位置を示す位置情報とをともに含む電子機器情報に対応する電子機器５０−１に、放電を促す内容を有する第１のメッセージを送信する第１の制御部２４１を備える。
また、充放電端末装置３０は、第２の蓄電池３１を備える。また、充放電端末装置３０は、第１のメッセージを受信した電子機器５０−１が電力伝送可能に設けられた場合に、電子機器５０−１が伝送する電力を第２の蓄電池３１に蓄電させる充電制御部３２を備える。
【００３１】
すなわち、電力管理装置２０は、電力需要予測装置１０から取得した電力需要予測値から得られる、電力ピークを示す時間帯において、第１の蓄電池５１−１の電力が第１の閾値を越える、言い換えると、余剰電力がある電子装置５０−１に対して、放電を促す第１のメッセージを送信する。そして、第１のメッセージを受信した電子機器５０−１が電力伝送可能に設けられた場合に、充放電端末装置３０は、電子機器５０−１が伝送する電力を第２の蓄電池３１に蓄電する。
よって、電力管理システムによれば、電力ピーク時間帯において、余剰電力がある電子機器５０−１から充放電端末装置３０に余剰電力を蓄電することができる。
【００３２】
また、電力管理装置２０は、電力需要予測値に基づく所定の時間帯において、電子機器情報記憶部２２に記憶された電子機器情報のうち、第２の閾値以下である残容量値と前記の領域内の位置を示す位置情報とをともに含む電子機器情報に対応する電子機器５０−２に、充電を促す内容を有する第２のメッセージを送信する第２の制御部をさらに備える。
また、充放電端末装置３０は、第２のメッセージを受信した電子機器５０−２が電力伝送可能に設けられた場合に、第２の蓄電池３１から電子機器５０−２が備える第１の蓄電池５１−２に電力を伝送させる放電制御部３３をさらに備える。
【００３３】
すなわち、電力管理装置２０は、電力需要予測装置１０から取得した電力需要予測値から得られる、電力ピークを示す時間帯において、第１の蓄電池５１−２の電力が第２の閾値以下である、言い換えると、電力に余裕がない電子装置５０−２に対して、充電を促す第２のメッセージを送信する。そして、第２のメッセージを受信した電子機器５０−２が電力伝送可能に設けられた場合に、充放電端末装置３０は、第２の蓄電池３１から電子機器５０−２が備える第１の蓄電池５１−２に電力を伝送する。
よって、電力管理システムによれば、電力ピーク時間帯において、充放電端末装置３０から電子機器５０−２に電力を送電することができる。
【００３４】
このように、第１実施形態によれば、余剰電力がある電子機器５０−１と電力に余裕がない電子機器５０−２とが、電力ピーク時間帯において充放電端末装置３０を介して電力を融通し合うことにより、電力負荷のピークカットを実現することができる。すなわち、大規模な電力貯蔵設備を設置せずに、電力負荷のピークカットを実現することができる。これにより、ピークカットを実現させるコストを低減させることができる。
【００３５】
なお、充放電端末装置３０を介さずに、第１のメッセージを受信した電子装置５０−１が第２のメッセージを受信した電子装置５０−２に、電力を伝送してもよい。
【００３６】
また、電子機器５０は、電力単価を閾値として記憶し、自動的に充放電を行うか否かを設定できるようにしてもよい。また、電子機器５０の第１の蓄電池５１の残容量値に応じて、自動で充放電する際の電力単価の閾値を設定できようにしもよい。これにより、電子機器５０のユーザ（需要家）は、電力需要が少なく且つ電力単価が安い時間帯に積極的に充電ができ、また電力需要が多く且つ電力単価が高い時間帯に積極的に放電ができるため、この電力需給システムを利用することで、電力売買による収益を得ることが可能となる。
【００３７】
［第２の実施形態］
第２実施形態において、第１実施形態と同一の構成については同一の符号を付して、その説明を省略する。
図６は、第２実施形態の電力管理システムにおける電力管理装置の機能構成を示すブロック図である。同図に示すように、第２実施形態の電力管理システムは、第１実施形態に対して、電力管理装置２０を電力管理装置２０ａに変更したものである。電力管理装置２０ａは、電力管理装置２０に対して、スケジュール情報受信部２５と、スケジュール情報記憶部２６とを追加し、制御部２４を制御部２４ａに変更したものである。制御部２４ａは、制御部２４に対し、充放電計画決定部２４３を追加し、第１の制御部２４１および第２の制御部２４２を、第１の制御部２４１ａおよび第２の制御部２４２ａに変更したものである。
【００３８】
電池監視プログラムを実行している電子機器５０は、一定時間おき（例えば、１０分おき）に電子機器情報を電力管理装置２０に送信する他、定期（例えば、毎日、毎週）または不定期に、スケジュール情報を電力管理装置２０に送信する。スケジュール情報は、電子機器５０の利用者の行動スケジュールを表す情報であり、例えば、日時、場所、および行動予定内容を関係付けた情報である。
【００３９】
スケジュール情報受信部２５は、電子機器５０が定期または不定期に送信するスケジュール情報を受信し、このスケジュール情報をスケジュール情報記憶部２６に記憶させる。
スケジュール情報記憶部２６は、電子機器５０ごとに、スケジュール情報を記憶する。
【００４０】
充放電計画決定部２４３は、電力需要予測値取得部２３が供給する電力需要予測値と、スケジュール情報記憶部２６に記憶されたスケジュール情報と、電子機器情報記憶部２２に記憶された電子機器情報とに基づいて、電子機器５０の充放電計画を決定する。例えば、充放電計画決定部２４３は、スケジュール情報記憶部２６から、電力需要予測値に基づく電力ピーク時間帯において領域Ｓ内に存在すると予定される電子機器５０の識別情報を選択する。そして、充放電計画決定部２４３は、選択した電子機器５０の識別情報をキーとして、電子機器情報記憶部２２から電子機器情報を読み出す。
【００４１】
第１の制御部２４１ａは、充放電計画決定部２４３が読み出した電子器機器情報のうち、第１の閾値（例えば、５０％）を越える残容量値を含む電子機器情報に対応する電子機器５０に、放電を促す内容を有する第１のメッセージを送信する。
また、第２の制御部２４２ａは、充放電計画決定部２４３が読み出した電子器機器情報のうち、第２の閾値（例えば、２０％）以下である残容量値を含む電子機器情報に対応する電子機器５０に、充電を促す内容を有する第２のメッセージを送信する。
【００４２】
図７は、スケジュール情報記憶部２６が記憶するスケジュール情報のデータ構成の例である。同図に示すように、スケジュール情報テーブルは、電子機器５０ごとのスケジュール情報を格納している。スケジュール情報は、電子機器５０を識別する識別情報と、日時または日にちを表す日時情報と、場所を表す場所情報とを関係付けて含む。同図のスケジュール情報には、日時情報“平日”および場所情報“○○○”、日時情報“2013/11/20”および場所情報“△△△”、日時情報“2013/11/22 15:00”および場所情報“□□□”が、識別情報“KLZ028AAA”に関係付けられて含まれている。
【００４３】
電力ピーク時間帯が１２時から１６時まで、場所情報“□□□”が示す場所が領域Ｓに含まれるとした場合、図７に示したスケジュール情報を例とすると、充放電計画決定部２４３は、スケジュール情報から、日時情報“2013/11/22 15:00”および場所情報“□□□”に関係付けられた識別情報“KLZ028AAA”を選択する。そして、充放電計画決定部２４３は、この識別情報“KLZ028AAA”をキーとして、電子機器情報記憶部２２から電子機器情報を読み出す。
【００４４】
図８は、第２実施形態の電力管理システムを適用した電力需給システムの具体的動作を説明するための図である。同図において、最上段（第１段）、中段（第２段）、最下段（第３段）の順に、午前１０時、午後１時、午後２時における、タブレットＡ、デジタルカメラＢ、およびスマートフォンＣの、所在場所と具備する蓄電池の残容量とを表している。タブレットＡ、デジタルカメラＢ、およびスマートフォンＣは、いずれも電子機器５０である。タブレットＡは、いずれの時刻においても“Ｋビル”（“Ｋビル”は“ＭＭＭ市”内に存在する。）内に存在するものとする。また、デジタルカメラＢは、“ＬＬＬ市”から“Ｋビル”に移り、さらに“Ｋビル”外の“ＭＭＭ市”内に移るものとする。また、スマートフォンＣは、いずれの時刻においても、“ＭＭＭ市”内に存在するものとする。なお、同図の例において、電力ピーク時間帯は１２時から１６時までとする。また、領域Ｓを“ＭＭＭ市”とする。
【００４５】
電力管理装置２０ａは、タブレットＡ、デジタルカメラＢ、およびスマートフォンＣそれぞれから取り込んでスケジュール情報記憶部２６に記憶させたスケジュール情報から、電力需要予測値に基づく電力ピーク時間帯において“ＭＭＭ市”内に存在すると予定されるタブレットＡ、デジタルカメラＢ、およびスマートフォンＣの識別情報を選択する。午前１０時の時点で、電力管理装置２０ａは、第１の閾値（例えば、５０％）を越える残容量値を含む電子機器情報に対応するタブレットＡに、放電を促す内容を有する第１のメッセージを送信する。また、電力管理装置２０ａは、第２の閾値（例えば、２０％）以下である残容量値を含む電子機器情報に対応するデジタルカメラＢおよびスマートフォンＣに、充電を促す内容を有する第２のメッセージを送信する。
【００４６】
その後、デジタルカメラＢは、“ＬＬＬ市”から“ＭＭＭ市”内の“Ｋビル”に移動する。第１のメッセージを受信したタブレットＡは、充放電端末装置３０を介して第２のメッセージを受信したデジタルカメラＢに電力を伝送する。そして、午後１時の時点で、タブレットＡの残容量は“６０％”、デジタルカメラＢの残容量は“６０”％、スマートフォンＣの残容量は“２０％”となる。
その後、デジタルカメラＢは、“Ｋビル”から“Ｋビル”外の“ＭＭＭ市”内に移動する。
【００４７】
午後２時の時点で、電力管理装置２０ａは、第１の閾値（例えば、５０％）を越える残容量値を含む電子機器情報に対応するデジタルカメラＢに、放電を促す内容を有する第１のメッセージを送信する。また、電力管理装置２０ａは、第２の閾値（例えば、２０％）以下である残容量値を含む電子機器情報に対応するスマートフォンＣに、充電を促す内容を有する第２のメッセージを送信する。
第１のメッセージを受信したデジタルカメラＢは、充放電端末装置３０を介して第２のメッセージを受信したスマートフォンＣに電力を伝送する。
【００４８】
以上、図８の例によれば、領域Ｓである“ＭＭＭ市”にあるタブレットＡ、デジタルカメラＢ、スマートフォンＣは、電力ピーク時間帯において、蓄電池の電力が平準化するように、相互に、充放電端末装置３０を介して電力を送受し合い、最終的に、タブレットＡの電力の一部が、スマートフォンＣに移送される。
【００４９】
なお、タブレットＡ、デジタルカメラＢ、およびスマートフォンＣは、充放電端末装置３０を介さずに電力を送受してもよい。
【００５０】
このように、第２実施形態によれば、余剰電力がある電子機器５０と電力に余裕がない電子機器５０とが、スケジュールに基づいて、電力ピーク時間帯において充放電端末装置３０を介して電力を融通し合うことにより、電力負荷のピークカットを実現することができる。すなわち、大規模な電力貯蔵設備を設置せずに、電力負荷のピークカットを実現することができる。これにより、ピークカットを実現させるコストを低減させることができる。
【００５１】
なお、ピークカットを実現するためのバッファである蓄電池として、電子機器５０が備える第１の蓄電池５１を用いる例としたが、例えば、住宅用蓄電池システムや、電気自動車の蓄電池を用いてもよい。
また、電子機器５０は、カーナビゲーション装置、ＤＳＲＣ（Ｄｅｄｉｃａｔｅｄ  Ｓｈｏｒｒｔ  Ｒａｎｇｅ  Ｃｏｍｍｕｎｉｃａｔｉｏｎｓ）車載装置等の車載装置であってもよい。
【００５２】
また、上述した実施形態の電力管理装置２０および電力管理装置２０ａの一部の機能をコンピュータで実現するようにしてもよい。この場合、その機能を実現するための電力管理プログラムをコンピュータ読み取り可能な記録媒体に記録し、この記録媒体に記録された電力管理プログラムをコンピュータシステムに読み込ませて、このコンピュータシステムが実行することにより、当該機能を実現してもよい。なお、このコンピュータシステムとは、オペレーティングシステム（Ｏｐｅｒａｔｉｎｇ  Ｓｙｓｔｅｍ；ＯＳ）や周辺装置のハードウェアを含むものである。また、コンピュータ読み取り可能な記録媒体とは、フレキシブルディスク、光磁気ディスク、光ディスク、メモリカード等の可搬型記録媒体、コンピュータシステムに備えられる磁気ハードディスクやソリッドステートドライブ等の記憶装置のことをいう。さらに、コンピュータ読み取り可能な記録媒体とは、インターネット等のコンピュータネットワーク、および電話回線や携帯電話網を介してプログラムを送信する場合の通信回線のように、短時間の間、動的にプログラムを保持するもの、さらには、その場合のサーバ装置やクライアントとなるコンピュータシステム内部の揮発性メモリのように、一定時間プログラムを保持するものを含んでもよい。また上記の電力管理プログラムは、前述した機能の一部を実現するためのものであってもよく、さらに、前述した機能をコンピュータシステムにすでに記録されているプログラムとの組み合わせにより実現するものであってもよい。
【００５３】
以上述べた少なくともひとつの実施形態の電力管理システムによれば、電力管理装置が、所定の時間帯において、第１の閾値を越える残容量値と所定の領域内の位置を示す位置情報とをともに含む電子機器情報に対応する電子機器に、放電を促す内容を有する第１のメッセージを送信し、充放電端末装置が、第１のメッセージを受信した電子機器が電力伝送可能に設けられた場合に、電子機器が伝送する電力を蓄電するようにしたことにより、電力負荷のピークカットを実現するための電力貯蔵設備のコストを低減させることができる。
【００５４】
本発明のいくつかの実施形態を説明したが、これらの実施形態は、例として提示したものであり、発明の範囲を限定することを意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１０…電力需要予測装置、２０…電力管理装置、２０ａ…電力管理装置、２１…電子機器情報受信部、２２…電子機器情報記憶部、２３…電力需要予測値取得部、２４…制御部、２４ａ…制御部、２５…スケジュール情報受信部、２６…スケジュール情報記憶部、３０…充放電端末装置、３１…第２の蓄電池、３２…充電制御部、３３…放電制御部、４０…ネットワーク、５０−１…電子機器、５０−２…電子機器、５１−１…第１の蓄電池、５１−２…第１の蓄電池、２４１…第１の制御部、２４１ａ…第１の制御部、２４２…第２の制御部、２４２ａ…第２の制御部、２４３…充放電計画決定部
【図１】
2015115983.tif 000003
【図２】
2015115983.tif 000004
【図３】
2015115983.tif 000005
【図４】
2015115983.tif 000006
【図５】
2015115983.tif 000007
【図６】
2015115983.tif 000008
【図７】
2015115983.tif 000009
【図８】
2015115983.tif 000010